(57)【特許請求の範囲】
【請求項１】
ＩＣパッケージを挿入して電気的接続を形成する挟み込みコンタクトを有するＩＣソケットにおいて、
カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、
前記固定弾性接片の内側にダボを設けることで、前記コンタクトの固定弾性接片の内側へのばね定数を高くすることを特徴とするＩＣソケット。
【請求項２】
ＩＣパッケージを挿入して電気的接続を形成する挟み込みコンタクトを有するＩＣソケットにおいて、
カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、
前記固定弾性接片の内側にモールド突部を設けることで、前記コンタクトの固定弾性接片の内側へのばね定数を高くすることを特徴とするＩＣソケット。
【請求項３】
ＩＣパッケージを挿入して電気的接続を形成する挟み込みコンタクトを有するＩＣソケットにおいて、
カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、
前記固定弾性接片の内側のモールド部を高くすることで、前記コンタクトの固定弾性接片の内側へのばね定数を高くすることを特徴とするＩＣソケット。
【請求項４】
ＩＣパッケージを挿入して電気的接続を形成する挟み込みコンタクトを有するＩＣソケットにおいて、
カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、
前記固定弾性接片の内側に曲げ部を設けることで、前記コンタクトの固定弾性接片の内側へのばね定数を高くすることを特徴とするＩＣソケット。
【請求項５】
ＩＣパッケージを挿入して電気的接続を形成する挟み込みコンタクトを有するＩＣソケットにおいて、
カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、
前記固定弾性接片の内側に長いダボを設けることで、前記コンタクトの固定弾性接片の内側へのばね定数を高くすることを特徴とするＩＣソケット。
【請求項６】
ＩＣパッケージを挿入して電気的接続を形成する挟み込みコンタクトを有するＩＣソケットにおいて、
カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、前記固定弾性接片を外側に傾けて外側にプリロードをかけることを特徴とするＩＣソケット。
【請求項７】
前記固定弾性接片の内側に曲げ部を設け、外側にプリロードをかけると同時に、ばね定数を高くすることを特徴とする請求項６記載のＩＣソケット。
【請求項８】
前記コンタクトの移動弾性接片を、ＩＣパッケージの外部接点が貼り付き易い接触形状に設け、前記固定弾性接片を前記移動弾性接片よりも貼り付き難い形状に設けることを特徴とする請求項１乃至７のいずれかに記載のＩＣソケット。
【請求項９】
前記固定弾性接片と移動弾性接片の先端角度をそれぞれ変えることを特徴とする請求項８記載のＩＣソケット。
【請求項１０】
前記固定弾性接片と移動弾性接片の先端長さをそれぞれ変えることを特徴とする請求項８記載のＩＣソケット。
【請求項１１】
前記固定弾性接片と移動弾性接片の先端テーパの数を変えることを特徴とする請求項８記載のＩＣソケット。
【請求項１２】
前記固定弾性接片と移動弾性接片の先端側面の角度をそれぞれ変えることを特徴とする請求項８記載のＩＣソケット。
【請求項１３】
前記固定弾性接片と移動弾性接片の先端の、前記ＩＣパッケージの外部接点に食い込む面の数を変えることを特徴とする請求項８記載のＩＣソケット。
【請求項１４】
前記固定弾性接片と移動弾性接片の先端接触部に種々の異なるアンダーカットをそれぞれ設けることを特徴とする請求項８記載のＩＣソケット。
【発明の詳細な説明】
【０００１】
【発明の属する技術分野】
本発明は、ソケット本体のコンタクトとＩＣパッケージの外部接点との開閉を行うＩＣソケットに関するもので、特に、コンタクトの移動弾性接片と固定弾性接片がＩＣパッケージの外部接点を挟み込んで接続するように適用されるＩＣソケットに係わるものである。
【０００２】
【従来の技術】
従来、電気部品としてのＩＣパッケージ等は、ＩＣソケットのソケット本体に装着し、傾斜カムを有する移動板を操作部材の押圧により傾斜カムを介して横方向に移動して成るＩＣソケットが知られている。
【０００３】
【発明が解決しようとする課題】
従来におけるこのようなＩＣソケットにおいては、操作板が下降すると適宜なカム機構を介して移動板が一方向に横動されることによって、移動板に設けられた押圧部によって移動弾性接片が開かれ、ＩＣパッケージの外部接点が収納可能となり、コンタクトオープン状態となる。また、操作部材が上昇すると、移動弾性接片の回復力によって移動板が他方向に横動し、移動弾性接片と固定弾性接片とがＩＣパッケージの外部接点を挟み込んで接触し、ＩＣパッケージ嵌合状態となる。
【０００４】
このように、従来のＩＣソケットにおいては、ソケット本体のコンタクトの移動弾性接片をその弾性に抗して一方向に変位させてコンタクトと外部接点との接触解除状態を形成し、この移動弾性接片の復元力による他方向への変位によって移動板を他方向に移動させると共に、移動弾性接片を外部接点の側面に当接してコンタクトと外部接点との接触状態を形成するようにコンタクトが構成されている。
【０００５】
しかしながら、このようなＩＣソケットは、外部接点とコンタクト接触部との高温接触等によって外部接点とコンタクト接触部との貼り付きが発生するケースが見られる。その際に、移動弾性接片は、コンタクトオープン時に移動板の押圧部と案内部材によって引き剥がされてしまうことがある。しかし、固定弾性接片においては、コンタクト自体のばね定数による反発力に頼らざるを得ないのが一般的で、厄介である。また、固定弾性接片とソケット本体の壁との間に、クリアランスがある場合には、ばね定数が低くなって、反発力が小さくなって剥がれ難くなってしまう。この反発力が、外部接点とコンタクト接触部が貼り付いている力を下回った場合に、コンタクトオープン状態でも引き剥がしが行われず、ＩＣパッケージがソケットから取り出せなくなる可能性がある。
【０００６】
従って、本発明の目的は、このような従来における問題を解決するために、固定弾性接片の反発力を大きくするために内側へのばね定数を高くしたり、外側にプリロードをかけたり、固定弾性接片接触部を移動弾性接片接触部よりも貼り付き難くい形状に形成すると共に、コンタクトの開閉操作を容易に、かつ良好にできるようにしたＩＣソケットを提供することにある。
【０００７】
【課題を解決するための手段】
上述の目的を達成するために、本発明のＩＣソケットは、ＩＣパッケージを挿入して電気的接続を形成する挟み込みコンタクトを有するＩＣソケットにおいて、カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、前記固定弾性接片の内側にダボを設けることで、前記コンタクトの固定弾性接片の内側へのばね定数を高くすることを特徴とする。
【０００９】
さらに、本発明のＩＣソケットは、前記固定弾性接片の内側にモールド突部を設けることを特徴とする。
【００１０】
さらにまた、本発明のＩＣソケットは、前記固定弾性接片の内側のモールド部を高くすることを特徴とする。
【００１１】
本発明のＩＣソケットは、前記固定弾性接片の内側に曲げ部を設けることを特徴とする。
【００１２】
また、本発明のＩＣソケットは、前記固定弾性接片の内側に長いダボを設けることを特徴とする。
【００１３】
さらに、本発明のＩＣソケットは、ＩＣパッケージを挿入して電気的接続を形成する挟み込みコンタクトを有するＩＣソケットにおいて、カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、前記固定弾性接片を外側に傾けて外側にプリロードをかけることを特徴とする。
【００１５】
本発明のＩＣソケットは、前記固定弾性接片の内側に曲げ部を設け、外側にプリロードをかけると同時に、ばね定数を高くすることを特徴とする。
【００１６】
また、本発明のＩＣソケットは、コンタクトの移動弾性接片を、ＩＣパッケージの外部接点が貼り付き易い接触形状に設け、前記固定弾性接片を前記移動弾性接片よりも貼り付き難い形状に設けることを特徴とする。
【００１７】
さらに、本発明のＩＣソケットは、前記固定弾性接片と移動弾性接片の先端角度をそれぞれ変えることを特徴とする。
【００１８】
さらにまた、本発明のＩＣソケットは、前記固定弾性接片と移動弾性接片の先端長さをそれぞれ変えることを特徴とする。
【００１９】
本発明のＩＣソケットは、前記固定弾性接片と移動弾性接片の先端テーパの数を変えることを特徴とする。
【００２０】
また、本発明のＩＣソケットは、前記固定弾性接片と移動弾性接片の先端側面の角度をそれぞれ変えることを特徴とする。
【００２１】
さらに、本発明のＩＣソケットは、前記固定弾性接片と移動弾性接片の先端の、前記ＩＣパッケージの外部接点に食い込む面の数を変えることを特徴とする。
【００２２】
さらにまた、本発明のＩＣソケットは、前記固定弾性接片と移動弾性接片の先端接触部に種々の異なるアンダーカットをそれぞれ設けることを特徴とする。
【００２３】
本発明のその他の目的や特徴および利点は、添付図面に示される本発明のＩＣソケットの実施形態についての以下の詳細な説明から明らかである。
【００２４】
【発明の実施の形態】
（実施例１）
図１乃至図８は、本発明のＩＣソケットの実施例１を示す中央縦断面概要図、およびコンタクトの部分断面図で、図１はフリー状態の時の図、図２はコンタクトオープン状態の時の図で、図３はＩＣパッケージ嵌合状態の時の図、図４はコンタクトオープン状態におけるＩＣソケットの中央縦断面図で、図５はオープン状態における１つのコンタクト部分の拡大部分図、図６はＩＣパッケージの嵌合状態での同様な拡大部分図で、図７と図８はコンタクトオープン状態での拡大部分図である。
【００２５】
図１に示されるように、本発明のＩＣソケット１は、ＩＣパッケージ１０を装着して電気的接続を形成する挟み込み形のコンタクト５を有するタイプのＩＣソケット１である。このような本発明のＩＣソケット１は、固定のソケット本体２と、この固定のソケット本体２に対して上下動可能で、かつカム機構（図示しない）を有する操作部材３と、この操作部材３のカム機構によって横方向に移動される案内部材４と、固定弾性接片６と移動弾性接片７を有する複数個のコンタクト５と、コンタクト５の固定弾性接片６と移動弾性接片７を開閉するための移動部材８とから構成されており、さらに、コンタクト５の固定弾性接片６の内側へのばね定数を高くして固定弾性接片６の反発力を大きくするようにしている。
【００２６】
図示されるように、本発明のＩＣソケット１において、ソケット本体２は、ほぼ四角形をなしていて、中央部分に複数個のコンタクト５が固設されており、回路基板等の適宜な固定部材に固着されている。さらに、このソケット本体２の上部には移動板８が横方向に移動可能に収容されており、その上に案内部材４が同様に横方向に移動可能に設けられると共に、さらにその上に、操作部材３が上下動可能に配設されている。なお、ソケット本体２は四角形に限らず、長方形等の他の形状に構成することができるものであり、適用されるＩＣパッケージ１０の形状に対応して適宜に形成することができるものである。
【００２７】
また、操作部材３は、ほぼ四角形の枠形または筒形の形状に形成されていて、上下方向に移動可能に設けられており、適宜な傾斜カムや凹凸カム等のカム機構を介して案内部材４を横方向に移動するように形成されている。
【００２８】
案内部材４は、ほぼ四角形の容器状をなしていて、内側に、ＩＣパッケージ１０の形状に対応した形状をなしているＩＣパッケージ装着部１２が設けられており、このＩＣパッケージ装着部１２の直下に開口部１４が設けられていて、ＩＣパッケージ装着部１２に装着されたＩＣパッケージ１０の外部接点１１と、コンタクト５の上端接触部とが位置されるように形成されており、底部にソケット本体２と係合する突部１５と、移動板８と係合する突部１６が設けられていて、突部１５はソケット本体２に対するストッパーとして作用し、さらに、突部１６は移動板８と当接して押圧する作動部材として作用するように形成されている。
【００２９】
コンタクト５は、ソケット本体２に固設されていて、この固設された上方の接触部分に一対の固定弾性接片６と移動弾性接片７が設けられており、移動板８の上部に形成された格子状の押圧部９を固定弾性接片６と移動弾性接片７との間に挟むように配置されている。従って、移動板８の横方向の移動により、押圧部９によってコンタクト５の固定弾性接片６に対して移動弾性接片７が離れたり近接するように動かされ、固定弾性接片６と移動弾性接片７の間にＩＣパッケージ１０の外部接点１１を嵌合するよう挟み込んで接触できるように形成されている。特に、本実施例においては、固定弾性接片６の反発力を大きくするために、内側へのばね定数が高くなるように作られるのが好適である。
【００３０】
いま、図１においては、ＩＣソケット１がフリー状態にあって、コンタクト５の固定弾性接片６と移動弾性接片７がフリーな閉じた状態にある。
【００３１】
また、本実施例においては、ＩＣパッケージ１０にはボール・グリッド・タイプのＩＣパッケージが用いられて、半球状またはボール状の外部接点１１を有しており、これら半球状またはボール状の外部接点１１がコンタクト５の固定弾性接片６と移動弾性接片７の間に挟み込まれて接触されるように構成されている。
【００３２】
このように構成された本発明のＩＣソケット１は、図１に示されるフリー状態において、ソケット本体２上に、移動板８、コンタクト５、案内部材４、操作部材３等がフリーな状態に配置されており、特に、コンタクト５の固定弾性接片６と移動弾性接片７が閉じた状態に位置されている。このようなフリー状態から、ＩＣソケット１の操作部材３を押圧して下降させると、適宜なカム機構を介して案内部材４により移動板８が横動され、移動板８の押圧部９によってコンタクト５の移動弾性接片７が押し開かれて、ＩＣパッケージ１０の外部接点１１が嵌合可能な、図２のコンタクトオープン状態（操作部材３のフルストローク状態）となる。
【００３３】
この図２のコンタクトオープン状態（操作部材のフルストローク状態）において、ＩＣパッケージ１０を案内部材４のＩＣパッケージ装着部１２に装着して、操作部材３を上昇させると、コンタクト５の移動弾性接片７の弾性回復力によって移動板８が他方向に横動されて、コンタクト５の移動弾性接片７と固定弾性接片６がＩＣパッケージ１０の外部接点１１を挟み込んで接触し、図３のＩＣパッケージ嵌合状態となる。この時に、ＩＣパッケージ１０のセンターは、図２のオープン時のセンターとずれており、ＩＣパッケージ１０のセンターズレが生じるので、案内部材４が移動板８とソケット本体２に対してフリーとなって、ＩＣパッケージ１０のセンターズレを吸収して、操作部材３を作動することによって、ＩＣパッケージ１０を案内部材４によりセンター付近に位置決めして、図４に示されるようなコンタクトオープン状態となり、ＩＣパッケージ１０が好適にセンターに位置決めされる。なお、このようなコンタクトオープン状態とＩＣパッケージ嵌合状態が図５と図６に、部分的に拡大して詳細に示されている。
【００３４】
また、本発明のＩＣソケット１は、上述のコンタクトオープン状態において、図７に示されるようにコンタクト５の移動弾性接片７が移動板８の押圧部９によって押圧されるので、ＩＣパッケージ１０の外部接点１１にコンタクト５の移動弾性接片７が貼り付いても、外部接点１１から好適に引き剥がされる等の、引き剥がし効果を有するものである。また、本発明におけるＩＣソケット１は、コンタクト５の固定弾性接片６が、内側へのばね定数が高くて固定弾性接片６の反発力が大きいために、図８に示されるように、固定弾性接片６が外部接点１１に貼り付いても、自己のばね反発力だけによって外部接点１１から良好に引き剥がされる等の、引き剥がし効果を有している。
【００３５】
さらにまた、このような本発明のＩＣソケット１において、ＩＣパッケージ１０をＩＣソケット１から取り出す際には、再度、操作板３を下降させて、バキューム等を用いてＩＣパッケージ１０を取り出すのが好適である。この時には、ＩＣパッケージ１０は案内部材４等によりコンタクトオープンセンター付近に位置決めされているので、案内部材４内に挿入された状態において、ＩＣパッケージ１０をロボットや他の手段、または手作業等によって外に取り出して上方に引き上げれば、図２に示されるように多数のコンタクト５の移動弾性接片７の弾性力によって移動板８の格子状の押圧部９を介して図示にて右方に押圧されて移動板８が移動されるので、コンタクト５が閉じたＩＣソケット１のフリーな状態（図１）にすることができる。
【００３６】
このように、本発明のＩＣソケットにおいては、固定のソケット本体２と、カム機構を有する上下動可能な操作部材３と、この操作部材３のカム機構によって横動される案内部材４と、固定弾性接片６と移動弾性接片７を有するコンタクト５と、コンタクト５を開閉する移動部材７とを有し、コンタクト５の固定弾性接片６の内側へのばね定数を高くすることによって、固定弾性接片６の反発力を大きくすることができ、ＩＣパッケージ１０の外部接点１１が各コンタクト５の固定弾性接片６と移動弾性接片７の間に挟み込まれるように嵌合されて良好に接触でき、コンタクト５の開閉操作が容易かつ良好にできる。
【００３７】
上記のように構成された本発明が適用されるＩＣソケットにおいて、コンタクトの開閉操作が容易にでき、コンタクトが良好に接触でき、ＩＣパッケージの外部接点とコンタクト接触部の高温接触等による貼り付きの発生を阻止し、コンタクトオープン時の移動板の押圧部と案内部材による引き剥がしを行って、ＩＣパッケージの取り出しを容易にすることができる。
【００３８】
このように、本発明のＩＣソケットにおいては、ＩＣソケットへのＩＣパッケージの挿入作業がロボット等の自動機や、手作業によって好適に行うことができ、ＩＣパッケージのＩＣソケットへの実装作業の効率を向上し、かつ改善することが出来る。
【００３９】
（実施例２）
上述したように、本発明のＩＣソケットの実施例１においては、コンタクト５の固定弾性接片６の内側へのばね定数を高くして反発力を大きくしているが、本実施例においては固定弾性接片６の内側に突部や突起部等のようなダボ２０を設けることによって同様の効果を得るようにしている。
【００４０】
すなわち、図９に示されるように、本発明のＩＣソケットにおいて、ソケット本体２に固設されるコンタクト５の固定弾性接片６の中程の内側に、ダボ２０が設けられている。実施例２におけるこのようなダボ２０は、コンタクト５の固定弾性接片６の内側中程に図示の如く設けられており、これによって固定弾性接片６の内側へのばね定数を高くして固定弾性接片６自体における反発力を大きくすることができるので、ＩＣパッケージの外部接点に対する固定弾性接片６の貼り付きを良好に防止することができる効果が同様に得られる。
【００４１】
（実施例３）
図１０に示されるように、本発明のＩＣソケットにおいて、ソケット本体２に固設されるコンタクト５の固定弾性接片６の中程の内側面に対して、モールド突部２５が設けられている。本発明の実施例３におけるこのようなモールド突部２５は、コンタクト５の固定弾性接片６の内側中程に対して図示の如く当接して押圧するように設けられており、これによって固定弾性接片６の内側へのばね定数を高くして固定弾性接片６自体における反発力を大きくすることができるので、従って、ＩＣパッケージの外部接点に対する固定弾性接片６の高温接触等による貼り付きを良好に防止することができる等の効果が同じ様に得られる。
【００４２】
（実施例４）
図１１に示されるように、本発明のＩＣソケットにおいて、ソケット本体２に固設されるコンタクト５の固定弾性接片６の内側面に対して、モールド突部３０が設けられている。実施例３におけるこのようなモールド突部３０は、コンタクト５の固定弾性接片６の内側面に沿って図示のように近接して上方に中間部分にまで延びるように設けられており、これによって固定弾性接片６の内側へのばね定数を高くして固定弾性接片６における反発力を大きくすることができ、ＩＣパッケージの外部接点に対する固定弾性接片６の高温接触等による貼り付きを良好に防止することができる効果が得られる。
【００４３】
（実施例５）
図１２に示されるように、本発明のＩＣソケットにおいて、ソケット本体２に固設されるコンタクト５の固定弾性接片６の内側の中程に曲げ部３５が設けられている。実施例５におけるこのような曲げ部３５は、コンタクト５の固定弾性接片６自体における、固定弾性接片６の内側へのばね定数を高くして固定弾性接片６における反発力を大きくすることができ、ＩＣパッケージの外部接点に対する固定弾性接片６の高温接触等による貼り付きを防止することができる。
【００４４】
（実施例６）
図１３に示されるように、本発明のＩＣソケットにおいて、ソケット本体２に固設されるコンタクト５の固定弾性接片６の内側の中程から上部にかけて、長ダボ４０が設けられている。本実施例におけるこのような長ダボ４０は、コンタクト５の固定弾性接片６の内側中程に、上方に先端近くにまで延びるように設けられており、これによって固定弾性接片６の内側へのばね定数を高くして固定弾性接片６自体における反発力を大きくすることができるので、ＩＣパッケージの外部接点に対する固定弾性接片６の貼り付きを良好に防止することができる。
【００４５】
（実施例７）
図１４に示されるように、本発明のＩＣソケットにおいて、この実施例７ではソケット本体２に固設されるコンタクト５の固定弾性接片６にプリロードがかけられる。プリロードは、固定弾性接片６を外側に傾けるようにかけられて、図示にて点線で示されるような状態に迄かけられるもので、取付位置よりも外側に変位量Ｓだけ変位するように作用されるのが好適である。
【００４６】
このように、本実施例においては、固定弾性接片６に対して外側に向ってプリロードがかけられて固定弾性接片６の反発力が大きくなるようにしているので、ＩＣパッケージの外部接点に対する固定弾性接片６の高温接触等による貼り付きを良好に防止する効果を得ることができる。
【００４７】
（実施例８）
図１５は、本発明におけるＩＣソケットの実施例８を示すもので、本実施例においては、ソケット本体２に固設されるコンタクト５の固定弾性接片６にプリロードがかけられると共に、固定弾性接片６の下方部分が内側に屈曲されて曲げ部４５が設けられている。プリロードは、固定弾性接片６を外側に傾けるようにかけられるもので、図示にて点線で示されるように曲げ部４５による外側への曲げと一緒に合計で、取付位置よりも外側に変位量Ｓだけ変位するように作用されるのが好適である。
【００４８】
このように、本実施例においては、固定弾性接片６に対して外側に向ってプリロードがかけられると共に曲げ部４５を設けることによって、固定弾性接片６の反発力が大きくなるようにしているので、ＩＣパッケージの外部接点に対する固定弾性接片６の高温接触等による貼り付きを良好に防止することができる。
【００４９】
（実施例９）
図１６と図１７は、本発明におけるＩＣソケットの実施例９を示すもので、本実施例においては、ソケット本体２に固設されるコンタクト５の固定弾性接片６と移動弾性接片７のそれぞれの先端部に切欠き５０、５１が設けられている。これら切欠き５０、５１は、図１６に示されるように切欠き角度Ａ、Ｂの如く角度の大きさがそれぞれ異なっており、これによって、外部接点１１が移動弾性接片７に対しては固定弾性接片６よりも貼り付き易い接触形状に設けられていて、固定弾性接片６に対しては移動弾性接片７よりも貼り付き難くい接触形状に設けられている。
【００５０】
この場合に、コンタクト５の接触部の先端角度と貼り付き力の関係は次の通りである。すなわち、コンタクト５が外部接点１１に対して作用する力Ｆ１、Ｆ２は、Ｆ１＜Ｆ２で、Ａ＞Ｂの時に、
Ｆ１＝２・Ｒ１・ｓｉｎ（Ａ／２）
Ｆ２＝２・Ｒ２・ｓｉｎ（Ｂ／２）
である。但し、Ｒ１＝Ｒ２である。また、この場合の先端角度の差の目安は、
Ａ−Ｂ＝１０゜以上である。
【００５１】
従って、このように、先端部に角度の異なる切欠き５０、５１が固定弾性接片６と移動弾性接片７とに設けられることによって、ＩＣパッケージの外部接点１１に対する離脱を良好にして、高温接触等による貼り付きを好適に防止することができる。
【００５２】
また、固定弾性接片６が外部接点１１に溶着している力Ｐに対して、固定弾性接片６がこの溶着力Ｐに達するのに必要な変移量δ以上になるように設定することが好適である。
【００５３】
（実施例１０）
図１８と図１９は、本発明におけるＩＣソケットの実施例１０を示すもので、本実施例においては、ソケット本体２に固設されるコンタクト５の固定弾性接片６と移動弾性接片７との先端に設けられる先端部５５、５６の長さＡ、Ｂがそれぞれ異なるように形成されている。すなわち、固定弾性接片６に形成される先端部５５は長さＡであり、移動弾性接片７に形成される先端部５６は長さＢであって、図示されるように固定弾性接片６の先端部５５の長さＡは、移動弾性接片７の先端部５６の長さＢよりも短く、両先端部５５、５６の長さＡ、Ｂが図示されるように異なっており、これによって、外部接点１１が移動弾性接片７に対しては固定弾性接片６よりも貼り付き易い接触形状に設けられており、固定弾性接片６に対しては移動弾性接片７よりも貼り付き難くい接触形状に設けられている。従って、このように長さＡ、Ｂがそれぞれ異なる先端部５５、５６を固定弾性接片６および移動弾性接片７に設けることによって、ＩＣパッケージの外部接点１１に対する離脱を良好にして、高温接触等による貼り付きを好適に防止することができる。
【００５４】
（実施例１１）
図２０と図２１は、本発明におけるＩＣソケットの実施例１１を示しており、本実施例においては、ソケット本体２に固設されるコンタクト５の固定弾性接片６と移動弾性接片７との先端に設けられるテーパ部６０、６１の数がそれぞれ異なっている。すなわち、固定弾性接片６に形成されるテーパ部６０は２組であって、移動弾性接片７に形成されるテーパ部６１は１組であり、図示されるように固定弾性接片６の先端に形成されるテーパ部６０の数が、移動弾性接片７の先端に形成されるテーパ部６１の数と図示される如く異なっている。従って、このようなテーパ部６０、６１の数の相違によって、外部接点１１が移動弾性接片７に対しては固定弾性接片６よりも貼り付き易い接触形状に設けられており、固定弾性接片６に対しては移動弾性接片７よりも貼り付き難くい接触形状に設けられている。従って、このようにテーパ部６０、６１の数が異なる固定弾性接片６と移動弾性接片７とを設けることによって、ＩＣパッケージの外部接点１１に対する離脱を良好にして、高温接触等による貼り付きを好適に防止することができる。
【００５５】
（実施例１２）
図２２と図２３は、本発明におけるＩＣソケットの実施例１２を示しており、本実施例において、ソケット本体２に固設されるコンタクト５の固定弾性接片６と移動弾性接片７との先端部６５、６６の上面と下面の間の角度Ａ、Ｂがそれぞれ異なっている。すなわち、固定弾性接片６に形成される先端部６５における角度Ａは、移動弾性接片７に形成される先端部６６の角度Ｂよりも大きく、角度Ａ、Ｂがそれぞれ異なっている。従って、このような先端部６５、６６の角度Ａ、Ｂの相違によって、外部接点１１が移動弾性接片７に対しては固定弾性接片６よりも貼り付き易い接触形状に設けられており、固定弾性接片６に対しては移動弾性接片７よりも貼り付き難くい接触形状に設けられており、このような先端部６５、６６の角度Ａ、Ｂが異なる固定弾性接片６と移動弾性接片７とを設けることによって、ＩＣパッケージの外部接点１１に対する離脱を良好にして、高温接触等による貼り付きを好適に防止することができる。
【００５６】
（実施例１３）
図２４と図２５は、本発明におけるＩＣソケットの実施例１３を示すもので、本実施例においては、ソケット本体２に固設されるコンタクト５の固定弾性接片６と移動弾性接片７との先端部７０、７１の、外部接点１１に食い込む面の数がそれぞれ異なっている。すなわち、固定弾性接片６に形成される先端部７０の面は、移動弾性接片７に形成される先端部７１の面よりも大きく、両先端部７０、７１の高さ方向の面の大きさが異なっている。従って、このような先端部７０、７１の面の高さ方向における大きさの相違によって、外部接点１１が移動弾性接片７に対しては固定弾性接片６よりも貼り付き易い接触形状に形成されており、固定弾性接片６に対しては移動弾性接片７よりも貼り付き難くい接触形状に形成されており、このような先端部７０、７１の面の大きさが異なるように固定弾性接片６と移動弾性接片７との先端部７０、７１を設けることによって、ＩＣパッケージの外部接点１１に対する離脱を良好にして、高温接触等による貼り付きを好適に防止することができる。
【００５７】
（実施例１４）
図２６と図２７は、本発明におけるＩＣソケットの実施例１４を示すもので、本実施例においては、ソケット本体２に固設されるコンタクト５の、固定弾性接片６の先端には切欠き７５が設けられ、移動弾性接片７の先端にはアンダーカット部７６が設けられていることが異なっている。すなわち、固定弾性接片６の先端には切欠き７５が設けられているのに対して、移動弾性接片７の先端にはアンダーカット部７６が設けられていて、先端の形状がそれぞれ異なっている。従って、このような先端部分における切欠き７５とアンダーカット部７６との、形状の相違によって、外部接点１１が移動弾性接片７に対しては固定弾性接片６よりも貼り付き易い接触形状に形成されており、固定弾性接片６に対しては移動弾性接片７よりも貼り付き難くい接触形状に形成されていて、このような先端部分の切欠き７５とアンダーカット部７６との形状が異なるように固定弾性接片６と移動弾性接片７との先端部分を設けることによって、ＩＣパッケージの外部接点１１に対する固定弾性接片６と移動弾性接片７との離脱を良好にして、高温接触等による貼り付きを好適に防止することができる。
【００５８】
（実施例１５）
図２８と図２９は、本発明におけるＩＣソケットの実施例１５を示すもので、本実施例においては、ソケット本体２に固設されるコンタクト５の、固定弾性接片６の先端には切欠き８０が設けられ、移動弾性接片７の先端にはアンダーカット部８１が設けられていて先端部分の形状がそれぞれ異なっている。すなわち、固定弾性接片６の先端には切欠き８０が設けられているのに対して、移動弾性接片７の先端にはアンダーカット部８１が設けられていることが異なっており、従って、このような先端部分における切欠き８０とアンダーカット部８１との形状の相違によって、外部接点１１が移動弾性接片７に対しては固定弾性接片６よりも貼り付き易い接触形状に形成されており、固定弾性接片６に対しては移動弾性接片７よりも貼り付き難くい接触形状に形成されていて、このような先端部分の切欠き８０とアンダーカット部８１との形状が異なるものが形成されるように固定弾性接片６と移動弾性接片７の先端部分を設けることによって、ＩＣパッケージの外部接点１１に対する離脱を良好にして、高温接触等による貼り付きを好適に防止することができる。
【００５９】
（実施例１６）
図３０と図３１は、本発明におけるＩＣソケットの実施例１６を示しており、本実施例においては、ソケット本体２に固設されるコンタクト５の、固定弾性接片６の先端には切欠き８５が設けられ、移動弾性接片７の先端にはアンダーカット部８６が設けられていることが異なっている。すなわち、固定弾性接片６の先端には切欠き８５が設けられているのに対して、移動弾性接片７の先端にはアンダーカット部８６が設けられていることが異なっている。従って、このような先端部分における切欠き８５とアンダーカット部８６との形状の相違する形成によって、外部接点１１が移動弾性接片７に対しては固定弾性接片６よりも貼り付き易い接触形状に形成されており、固定弾性接片６に対しては移動弾性接片７よりも貼り付き難くい接触形状に形成されていて、このような先端部分の切欠き８５とアンダーカット部８６との形状が異なるように固定弾性接片６と移動弾性接片７の先端部分を設けることによって、ＩＣパッケージの外部接点１１に対する離脱を良好にして、高温接触等による貼り付きを好適に防止することができる。
【００６０】
【発明の効果】
以上説明したように、本発明の請求項１記載のＩＣソケットは、ＩＣパッケージを挿入して電気的接続を形成する挟み込みコンタクトを有するＩＣソケットにおいて、カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、前記コンタクトの固定弾性接片の内側へのばね定数を高くするので、固定弾性接片の反発力を大きくすることができ、ＩＣパッケージの外部接点が各コンタクトの可動弾性接片部分に挟み込まれるように嵌合されて良好に接触でき、コンタクトの開閉操作が容易かつ良好にできる。
【００６１】
本発明の請求項２記載のＩＣソケットは、前記固定弾性接片の内側にダボを設けるので、内側へのばね定数を高くして固定弾性接片の反発力を大きくすることができる。
【００６２】
本発明の請求項３記載のＩＣソケットは、前記固定弾性接片の内側にモールド突部を設けるので、同じように内側へのばね定数を高くして固定弾性接片の反発力を大きくすることができる。
【００６３】
本発明の請求項４記載のＩＣソケットは、前記固定弾性接片の内側のモールド部を高くするので、内側へのばね定数を高くして固定弾性接片の反発力を大きくすることができる。
【００６４】
本発明の請求項５記載のＩＣソケットは、前記固定弾性接片の内側に曲げ部を設けるので、同じ様に内側へのばね定数を高くして固定弾性接片の反発力を大きくすることができる。
【００６５】
本発明の請求項６記載のＩＣソケットは、前記固定弾性接片の内側に長いダボを設けるので、内側へのばね定数を高くして同じように固定弾性接片の反発力を大きくすることができる。
【００６６】
本発明の請求項７記載のＩＣソケットは、ＩＣパッケージを挿入して電気的接続を形成する挟み込みコンタクトを有するＩＣソケットにおいて、カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、前記コンタクトの固定弾性接片の外側にプリロードをかけるので、固定弾性接片の反発力を大きくすることができ、ＩＣパッケージの外部接点が各コンタクトの可動弾性接片部分に挟み込まれるように嵌合されて良好に接触でき、コンタクトの開閉操作が容易かつ良好にできる。
【００６７】
本発明の請求項８記載のＩＣソケットは、前記固定弾性接片を外側に傾けて外側にプリロードをかけるので、固定弾性接片の反発力を大きくすることができ、コンタクトの開閉操作が容易に、良好にできる。
【００６８】
本発明の請求項９記載のＩＣソケットは、前記固定弾性接片の内側に曲げ部を設け、外側にプリロードをかけると同時に、ばね定数を高くするので、固定弾性接片の反発力を大きくすることができ、コンタクトの開閉操作が容易、かつ良好に行うことができる。
【００６９】
本発明の請求項１０記載のＩＣソケットは、ＩＣパッケージを挿入して電気的接続を形成する挟み込みコンタクトを有するＩＣソケットにおいて、カム機構を有する上下動可能な操作部材と、該操作部材のカム機構によって横動される案内部材と、固定弾性接片と移動弾性接片を有するコンタクトと、該コンタクトが固設されるソケット本体と、前記コンタクトを開閉する移動部材とを有し、前記コンタクトの移動弾性接片を、ＩＣパッケージの外部接点が貼り付き易い接触形状に設け、前記固定弾性接片を前記移動弾性接片よりも貼り付き難い形状に設けるので、固定弾性接片の反発力を大きくすることができ、ＩＣパッケージの外部接点が各コンタクトの可動弾性接片部分に挟み込まれるように嵌合されて良好に接触でき、コンタクトの開閉操作が容易かつ良好にできる。
【００７０】
本発明の請求項１１記載のＩＣソケットは、前記固定弾性接片と移動弾性接片の先端角度をそれぞれ変えるので、先端部分の角度の相違によってＩＣパッケージの外部接点に対する離脱を良好にして、高温接触等による貼り付きを好適に防止することができる。
【００７１】
本発明の請求項１２記載のＩＣソケットは、前記固定弾性接片と移動弾性接片の先端長さをそれぞれ変えるので、ＩＣパッケージの外部接点に対する離脱を良好にして、高温接触等による貼り付きを好適に防止することができる。
【００７２】
本発明の請求項１３記載のＩＣソケットは、前記固定弾性接片と移動弾性接片の先端テーパの数を変えるので、ＩＣパッケージの外部接点に対する離脱を良好にして、貼り付きを防止することができる。
【００７３】
本発明の請求項１４記載のＩＣソケットは、前記固定弾性接片と移動弾性接片の先端側面の角度をそれぞれ変えるので、ＩＣパッケージの外部接点に対する離脱を良好にして貼り付きを好適に防止できる。
【００７４】
本発明の請求項１５記載のＩＣソケットは、前記固定弾性接片と移動弾性接片の先端の、前記ＩＣパッケージの外部接点に食い込む面の数を変えるので、ＩＣパッケージの外部接点に対する離脱を良好にして、貼り付きを防止することができる。
【００７５】
本発明の請求項１６記載のＩＣソケットは、前記固定弾性接片と移動弾性接片の先端接触部に種々の異なるアンダーカット部をそれぞれ設けるので、先端部分の切欠きとアンダーカット部との形状が異なることによって、ＩＣパッケージの外部接点に対する離脱を良好にして、高温接触等による貼り付きを好適に防止することができる。
【図面の簡単な説明】
【図１】本発明におけるＩＣソケットの実施例１をフリー状態で示す中央縦断面概要図である。
【図２】図１の本発明のＩＣソケットをコンタクトオープン状態で示す中央縦断面概要図である。
【図３】図１の本発明のＩＣソケットをＩＣパッケージ嵌合状態で示す中央縦断面概要図である。
【図４】本発明のＩＣソケットにおけるコンタクトオープン状態の時の中央縦断面図である。
【図５】本発明のＩＣソケットのオープン状態における１つのコンタクト部分の拡大部分図である。
【図６】本発明のＩＣソケットにおけるＩＣパッケージの嵌合状態での同様な拡大部分図である。
【図７】コンタクトオープン状態での拡大部分図で、移動弾性接片が引き剥がされる時の図である。
【図８】コンタクトオープン状態での拡大部分図で、固定弾性接片が引き剥がされる時の図である。
【図９】本発明のＩＣソケットの実施例２におけるコンタクトの先端部分の拡大部分図である。
【図１０】本発明のＩＣソケットの実施例３におけるコンタクトの先端部分の同様な拡大部分図である。
【図１１】本発明のＩＣソケットの実施例４におけるコンタクトの先端部分の拡大部分図である。
【図１２】本発明のＩＣソケットの実施例５におけるコンタクトの先端部分の同様な拡大部分図である。
【図１３】本発明のＩＣソケットの実施例６におけるコンタクトの先端部分の拡大部分図である。
【図１４】本発明のＩＣソケットの実施例７におけるコンタクトの先端部分の同様な拡大部分図である。
【図１５】本発明のＩＣソケットの実施例８におけるコンタクトの先端部分の拡大部分図である。
【図１６】本発明のＩＣソケットの実施例９におけるコンタクトの先端部分の拡大部分平面図である。
【図１７】図１６のコンタクトの先端部分の拡大部分側面図である。
【図１８】本発明のＩＣソケットの実施例１０におけるコンタクトの先端部分の拡大部分平面図である。
【図１９】図１８のコンタクトの先端部分の拡大部分側面図である。
【図２０】本発明のＩＣソケットの実施例１１におけるコンタクトの先端部分の拡大部分平面図である。
【図２１】図２０のコンタクトの先端部分の拡大部分側面図である。
【図２２】本発明のＩＣソケットの実施例１２におけるコンタクトの先端部分の拡大部分平面図である。
【図２３】図２２のコンタクトの先端部分の拡大部分側面図である。
【図２４】本発明のＩＣソケットの実施例１３におけるコンタクトの先端部分の拡大部分平面図である。
【図２５】図２４のコンタクトの先端部分の拡大部分側面図である。
【図２６】本発明のＩＣソケットの実施例１４におけるコンタクトの先端部分の拡大部分平面図である。
【図２７】図２６のコンタクトの先端部分の拡大部分側面図である。
【図２８】本発明のＩＣソケットの実施例１５におけるコンタクトの先端部分の拡大部分平面図である。
【図２９】図２８のコンタクトの先端部分の拡大部分側面図である。
【図３０】本発明のＩＣソケットの実施例１６におけるコンタクトの先端部分の拡大部分平面図である。
【図３１】図３０のコンタクトの先端部分の拡大部分側面図である。
【符号の説明】
１      ＩＣソケット
２      ソケット本体
３      操作部材
４      案内部材
５      コンタクト
６      固定弾性接片
７      移動弾性接片
８      移動板
９      押圧部
１０    ＩＣパッケージ
１１    外部接点
１２    ＩＣパッケージ装着部
１４    開口部
１５    突部
１６    突部
２０    ダボ
２５    モールド突部
３０    モールド突部
３５    曲げ部
４０    長ダボ
４５    曲げ部
５０    切欠き
５１    切欠き
５５    先端部
５６    先端部
６０    テーパ部
６１    テーパ部
６５    先端部
６６    先端部
７０    先端部
７１    先端部
７５    切欠き
７６    アンダーカット部
８０    切欠き
８１    アンダーカット部
８５    切欠き
８６    アンダーカット部
【図１】
0003745667.tif 000002
【図２】
0003745667.tif 000003
【図３】
0003745667.tif 000004
【図４】
0003745667.tif 000005
【図５】
0003745667.tif 000006
【図６】
0003745667.tif 000007
【図７】
0003745667.tif 000008
【図８】
0003745667.tif 000009
【図９】
0003745667.tif 000010
【図１０】
0003745667.tif 000011
【図１１】
0003745667.tif 000012
【図１２】
0003745667.tif 000013
【図１３】
0003745667.tif 000014
【図１４】
0003745667.tif 000015
【図１５】
0003745667.tif 000016
【図１６】
0003745667.tif 000017
【図１７】
0003745667.tif 000018
【図１８】
0003745667.tif 000019
【図１９】
0003745667.tif 000020
【図２０】
0003745667.tif 000021
【図２１】
0003745667.tif 000022
【図２２】
0003745667.tif 000023
【図２３】
0003745667.tif 000024
【図２４】
0003745667.tif 000025
【図２５】
0003745667.tif 000026
【図２６】
0003745667.tif 000027
【図２７】
0003745667.tif 000028
【図２８】
0003745667.tif 000029
【図２９】
0003745667.tif 000030
【図３０】
0003745667.tif 000031
【図３１】
0003745667.tif 000032